(57)【要約】【課題】重量が軽く、携行に嵩張らず、しかも三脚への装脱着が極めて容易にでき、カメラの使用状況に応じてカメラ本体を三脚の中央に取り付け、レンズをサポートで支持するか、またはレンズを三脚の中央に取り付け、カメラ本体をサポートで支持するかのいずれかの使用形態に対応可能なレンズ振れを確実に防止するレンズホルダを提供する。【解決手段】レンズホルダ１０は、十字孔を有するフレーム１，円柱形サポート７を有するアーム６およびロックレバー５により構成される。フレーム１はホルダ部４に対し直角方向に折り曲げて形成されるフランジ３を有し、アーム６はロックレバー案内孔６ａを有し、ロックレバー５によりフランジ３にアーム６が結合される。ロックレバー５を緩めることによりフランジ３に対しアーム６を前後方向に移動でき、傾斜角度も変更することができる。ホルダ部４でカメラ本体を、円柱形サポート７でレンズをそれぞれ支持する。【選択図】図１
2015215442.tif 000002
【特許請求の範囲】
【請求項１】
カメラ本体を三脚に取付け支持するレンズホルダにおいて、
一方に開口部を持つ十字孔を備える平面状のホルダ部および該ホルダ部に垂直に形成され、長孔を持つフランジを有するフレームと、
端部に断面が曲面形状のサポートを支持し、長孔を有するアームと、
前記フランジの長孔と前記アームの長孔の間にネジを通し締めつけることにより前記フレームに対し前記アームを適宜角度および位置に取付け固定するロックレバーとからなり、
前記開口部より十字孔に前記三脚の雲台のカメラ固定用ネジを挿通し固定することにより前記レンズホルダを前記雲台に取付け、
前記十字孔に挿通したカメラ固定用ネジで直接または間接的にカメラ本体を固定し、前記カメラ本体に装着されているレンズの下部を前記サポートで支持するか、
または前記十字孔に挿通したカメラ固定用ネジで直接または間接的にレンズに取り付けられているレンズ支持アームを固定し、前記カメラ本体の下部を前記サポートで支持するように構成したことを特徴とするレンズホルダ。
【請求項２】
前記フレームと前記アームはアルミ系金属を用いることを特徴とする請求項１記載のレンズホルダ。
【請求項３】
前記フレームのホルダ部にカメラの底部との接触のための緩衝板を設けたことを特徴とする請求項１または２記載のレンズホルダ。
【請求項４】
前記サポートは円柱形であり、前記アームの端部に、直角方向に位置付けされて固定されていることを特徴とする請求項１，２または３記載のレンズホルダ。
【請求項５】
取付け部材をカメラの底部に取り付け、該取付け部材を凹み部に挿入することによりカメラ本体を装着可能なカメラ保持台を用意し、
前記十字孔に挿通したカメラ固定用ネジで間接的にカメラ本体を固定する場合とは、
前記カメラ保持台と前記雲台の間に前記ホルダ部を挟み込むように十字孔の開口部より挿入して固定し、前記取付け部材を取り付けたカメラ本体を前記カメラ保持台に装着することであることを特徴とする請求項１，２，３または４記載のレンズホルダ。
【発明の詳細な説明】
【技術分野】
【０００１】
本発明は、カメラに装着された望遠レンズやズームレンズなどの交換レンズを支持するためのレンズホルダに関する。
【背景技術】
【０００２】
望遠レンズなどの交換レンズを装着したカメラを三脚にセットし撮影する場合、交換レンズ部分の重量が大きいと、レンズ振れを防止してレンズ加重を受けるためのレンズ保持装置が必要となる。
従来、この種のレンズを保持するアクセサリは種々提案されている。
【０００３】
図８は、特許文献１のカメラブレ防止装置の構造を説明するための図である。
特許文献１は小さい力で、望遠レンズ付きカメラの望遠レンズを固定するカメラブレ防止装置を提案している。
基盤４１はステンレス製であり、階段状の２段構成で、基盤４１の下段には三脚の雲台に固定するために雲台取付け穴４２Ａ，４２Ｂが設けられている。２つの穴が設けられているのは多種多様な雲台の形状に対応するためである。基盤４１の上段は、カメラ本体を固定する支持台の機能を有している。カメラ取付け穴４３を設けており、カメラ取付け穴４３を通じてカメラ固定用ノブ付きボルト４４でカメラ本体を着脱自在に基盤４１に装着することを可能にしている。基盤４１の上段にはラバー４５（ゴム製）の膜を貼り付け、カメラ本体を基盤４１に固定し易いようになっている。基盤４１は一方の辺の側壁に長穴付き側壁４６を備えている。この構造は１枚のステンレス材を折り曲げた構成で、剛性，サビ防止，耐久性を確保している。
【０００４】
長穴付き側壁４６の外側には長穴付き腕４８があり、長穴付き側壁４６と長穴付き腕４８を挟み込むようにクラッチ板４９Ａ，４９Ｂがあり、アジャストクランプレバー付きボルト４７がそれらをナット５０Ａ，５０Ｂにより圧接し、固定する構造になっている。アジャストクランプレバー付きボルト４７を緩めると、長穴付き側壁４６のレールに沿って長穴付き腕４８を伸ばしたり、縮めたりが自由にできるようになっている。長穴付き腕４８の先にはローラー状支承受座５１が設けられている。
長穴付き腕４８を可動させ、望遠レンズを固定したい位置でアジャストクランプレバー付きボルト４７を螺合し、この螺合力をクラッチ板４９Ａ，４９Ｂを介し、長穴付き側壁４６に十分伝えることで、長穴付き腕４８を長穴付き側壁４６に圧接することを可能にしている。
このような構造により小さい力で望遠レンズ付きカメラの望遠レンズを固定できるとしている。
【０００５】
このカメラブレ防止装置は、形状が比較的、コンパクトに纏まっているが、十分な強度を出すため、剛性が大きく重量のある金属材料を図８に示すような形状に加工している。
一般に、この種のカメラブレ防止装置はカメラ用アクセサリであり、携行するものであるので、重量は極力軽量であることが望まれる。
【０００６】
また、レンズ部分を支持する場合の調整としてレバー部付きボルトおよびそれに関連する特別な構造の部品を用いているため、簡単に外せ、長穴付き腕４８の位置を決めた後は小さい力で容易に固定できるとしている。
しかしながら、このカメラブレ防止装置を雲台に固定する場合は、雲台の上側には何も置かない状態で、先ず雲台取付け穴４２Ａ，４２Ｂにネジを通し、該ネジを雲台下方のノブで締めることにより取り付ける構造である。したがって、雲台への取付けは従来の取付け構造を踏襲したものである。
さらにこの種のカメラブレ防止装置は、レンズ装着カメラのカメラ側か、レンズ側かを選択して三脚にホールドすることができ、いずれかを選択する場合も雲台への取付けが容易であることが要請される。
【０００７】
特許文献２には、カメラ支持位置を前後方向，側方向，上下方向に任意に調整できる望遠レンズ付きカメラ支持装置が提案されている。図９にその構造を示す。
雲台に取り付けられる固定ベース５５と、固定ベース５５に対して前後に移動可能な可動ベース５６とを備え、可動ベース５６は望遠レンズ５９を第１レンズ支持部５７と第２レンズ支持部５８によって支持し、さらにカメラ支持ブラケット６０によってカメラを支持する構成である。
このカメラ支持装置の可動部は、形状が望遠レンズ５９の取付け部に合わせたものであるので、任意の形状の望遠レンズを保持するのは制限があり、また、雲台への取付け、望遠レンズ，カメラ本体の取付けも手間がかかるものである。
【先行技術文献】
【特許文献】
【０００８】
【特許文献１】特開２００９−２１７１７３号公報
【特許文献２】特開２０１０−２８２０３９号公報
【発明の概要】
【発明が解決しようとする課題】
【０００９】
本発明の目的は、重量が軽く、携行に嵩張らず、しかも三脚への装脱着が極めて容易にでき、カメラの使用状況に応じてカメラ本体を三脚の中央に取り付け、レンズをサポートで支持するか、またはレンズを三脚の中央に取り付け、カメラ本体をサポートで支持するかのいずれかの使用形態に対応可能なレンズ振れを確実に防止することができるレンズホルダを提供することにある。
【課題を解決するための手段】
【００１０】
前記目的を達成するために本発明による請求項１記載のレンズホルダは、カメラ本体を三脚に取付け支持するレンズホルダにおいて、一方に開口部を持つ十字孔を備える平面状のホルダ部および該ホルダ部に垂直に形成され、長孔を持つフランジを有するフレームと、端部に断面が曲面形状のサポートを支持し、長孔を有するアームと、前記フランジの長孔と前記アームの長孔の間にネジを通し締めつけることにより前記フレームに対し前記アームを適宜角度および位置に取付け固定するロックレバーとからなり、前記開口部より十字孔に前記三脚の雲台のカメラ固定用ネジを挿通し固定することにより前記レンズホルダを前記雲台に取付け、前記十字孔に挿通したカメラ固定用ネジで直接または間接的にカメラ本体を固定し、前記カメラ本体に装着されているレンズの下部を前記サポートで支持するか、または前記十字孔に挿通したカメラ固定用ネジで直接または間接的にレンズに取り付けられているレンズ支持アームを固定し、前記カメラ本体の下部を前記サポートで支持するように構成したことを特徴とする。
本発明による請求項２記載のレンズホルダは、請求項１記載のレンズホルダにおいて前記フレームと前記アームはアルミ系金属を用いることを特徴とする。
本発明による請求項３記載のレンズホルダは、請求項１または２記載のレンズホルダにおいて前記フレームのホルダ部にカメラの底部との接触のための緩衝板を設けたことを特徴とする。
本発明による請求項４記載のレンズホルダは、請求項１，２または３記載のレンズホルダにおいて前記サポートは円柱形であり、前記アームの端部に、直角方向に位置付けされて固定されていることを特徴とする。
本発明による請求項５記載のレンズホルダは、請求項１，２，３または４記載のレンズホルダにおいて取付け部材をカメラの底部に取り付け、該取付け部材を凹み部に挿入することによりカメラ本体を装着可能なカメラ保持台を用意し、前記十字孔に通したカメラ固定用ネジで間接的にカメラ本体を固定する場合とは、前記カメラ保持台と前記雲台の間に前記ホルダ部を挟み込むように十字孔の開口部より挿入して固定し、前記取付け部材を取り付けたカメラ本体を前記カメラ保持台に装着することであることを特徴とする。
【発明の効果】
【００１１】
上記構成によれば、形状が嵩張ることはなく、従来の同じ機能を果たすレンズ保持装置に比較し軽量になるため、携行が容易となる。また、雲台に取り付ける場合、カメラ保持台（カメラを三脚に取り付けるためのアクセサリーシュー）を取り外すことなく、カメラ保持台と雲台上面の間に挟み込むように挿入して雲台に固定することができるため、三脚にカメラを装着する作業が従来に比較し簡単である。加えてレンズを支持する位置の設定およびその位置での固定がロックレバーの押し上げや押し下げ動作ででき、作業が一層簡易なものとなる。また、軽量化のために材料としてアルミ系金属などを用いても、本発明のような構造（フレームのホルダ部にフランジを設け、フランジにアームを取り付ける長孔を設けたこと）でカメラ保持としたため、レンズ保持のときの強度および耐久性に問題が発生することはない。必要に応じホルダ部に補強のための張り出しを設けることができる。さらにレンズホルダをカメラ撮影方向に対し反対方向から雲台の上面に差し込み固定できるため、レンズ支持アームを十字孔側に固定し、円柱形サポートでカメラ本体を支持する形態も容易に実現可能である。
【図面の簡単な説明】
【００１２】
【図１】本発明によるレンズホルダの実施の形態を示す図で、（ａ）は平面図，（ｂ）は正面図をそれぞれ示している。
【図２】図１のフレームの構造を示す図で、（ａ）は平面図，（ｂ）は底面図，（ｃ），（ｄ）は（ｂ）の右側面図，左側面図をそれぞれ示している。
【図３】図１のアームおよび円柱形サポートの構造を示す図で、（ａ）は正面図，（ｂ）は左側面図をそれぞれ示している。
【図４】図１のロックレバー、抑えリングなどの構造を示す図である。
【図５】カメラ保持台の構造を示す図で、（ａ）は平面図，（ｂ）は正面図，（ｃ）は（ａ）の右側面図をそれぞれ示している。
【図６】本発明によるレンズホルダにカメラ本体を取り付ける方法を説明するための図で、雲台側にカメラ本体を取り付けた状態を示している。
【図７Ａ】本発明によるレンズホルダにレンズを取り付ける方法を説明するための図で、カメラを横方向にして雲台側に交換レンズを取り付けた状態を示している。
【図７Ｂ】本発明によるレンズホルダにレンズを取り付ける方法を説明するための図で、カメラを縦方向にして雲台側に交換レンズを取り付けた状態を示している。
【図８】カメラの振れを防止する装置の従来例を説明するための図である。
【図９】望遠レンズ付きカメラを支持する装置の従来例を説明するための図である。
【発明を実施するための形態】
【００１３】
以下、図面を参照して本発明の実施の形態を詳しく説明する。
図１は、本発明によるレンズホルダの実施の形態を示す図で、（ａ）は平面図，（ｂ）は正面図をそれぞれ示している。
レンズホルダ１０はフレーム１，アーム６，円柱形サポート７およびロックレバー５によって構成されている。フレーム１はカメラ本体またはレンズを支持するためのホルダ部４とフランジ３を有し、例えばアルミ材が用いられている。
ホルダ部４には横方向の孔に開口孔部２ａを有する十字孔２が形成されており、各方向に形成された孔の長さ寸法は、十字孔の中央を起点に左方向に開口を有する孔が最も長く、下方向の孔の長さは最も短い。上方向および右方向の孔の長さは、略同じで、左方向と下方向の孔の長さの中間の寸法である。この各方向の孔の長さにより取り付ける雲台に対し、左右上下方向に最大限調整可能である。この十字孔２に分けられた４つのホルダ部分にはそれぞれ四角形状のコルク緩衝板１１が設けられている。接触するカメラ底部をキズなどが生じることなく確実に保持するためである。
【００１４】
ホルダ部４の板厚は例えば、３．０ｍｍで、十字孔２の孔幅は８ｍｍに加工されている。ホルダ部４の平面形状部はほぼ８０ｍｍ×８０ｍｍの正方形状であり、強度確保のために張り出し４ａを有し、フランジ３は折り曲げ加工されて形成されている。
図２に図１のフレームの構造を示す。（ａ）は平面図，（ｂ）は底面図，（ｃ），（ｄ）は（ｂ）の右側面図，左側面図をそれぞれ示している。
フランジ３の形状は図２の（ｃ），（ｄ）に示すように長方形状であり、中央に長孔３ａが形成されている。
【００１５】
図１において、アーム６は長方形状であり、フランジ３と略同様に中央にロックレバー案内孔６ａが形成されている。
アーム６の先端には支持ピン８が取り付けられており、支持ピン８に円柱形サポート７が固定されている。
図３に図１のアームおよび円柱形サポートの構造を示す。（ａ）は正面図，（ｂ）は左側面図をそれぞれ示している。
支持ピン８はアーム６の先端部分に形成されている孔（図示されていない）に挿入され、止めネジ１５によりネジ止めされて固定されている。支持ピン８の中央右寄りに円柱形サポート７が、中央の貫通孔（図示されていない）が支持ピン８に挿通され支持ピン８に設けられているネジに止めネジ９が螺合されて、固定されている。円柱形サポート７の材質はプラスチックが用いられている。アーム６の板厚は例えば６ｍｍである。
【００１６】
図１において、フランジ３の長孔３ａとアーム６のロックレバー案内孔６ａを合わせてロックレバー５の軸を通しネジで螺合して締め付けることにより、フランジ３に対しアーム６を長さ方向および傾斜を任意に選んで固定できる。この操作により、カメラを三脚に取り付けたときレンズを受ける支持位置を自由に選択することができる。
図４に、図１のロックレバー、抑えリングなどの構造を示す。
ロックレバー５（図４の（ａ）の部分）は円筒本体５ｂにレバー５ａが一体に形成され、円筒本体５ｂに形成された貫通孔（図示しない）に円柱体５ｄが嵌入される構造になっている。円柱体５ｄはネジ５ｃを有している。円柱体５ｄと円筒本体５ｂの間にバネ材（図示されていない）が内蔵され、円柱体５ｄに対し軸方向に円筒本体５ｂが付勢されている。レバー５ａを把持し円柱体５ｄの頭部を押すことにより付勢力に逆らって円筒本体５ｂが軸方向に移動し、さらに回転も可能である。このような構造により円筒本体５ｂを引き出し移動して回転させ円筒本体５ｂを解放することにより、レバー５ａの位置を自由に回転させた位置に調整することが可能である。レバー５ａの位置を邪魔にならない位置または使いやすい位置に移動回転させる場合に好都合である。
【００１７】
ロックレバー５を締め付ける補助部材として金属製の抑えリング１３（図４の（ｂ）），プラスチック材の抑えリング１２（図４の（ｃ））および回転を防止する四角形状の突起１４ａを有する角形ネジ１４（図４の（ｄ））が用意される。フランジ３へのアーム６の取付けは、両者を合わせた孔にロックレバー５のネジ５ｃを挿通することにより行うが、まず金属製の抑えリング１３および抑えリング１２を入れ、さらにフランジ３の長孔３ａに貫通したロックレバー５のネジ５ｃに角形ネジ１４を螺合させ締め付けることにより行う。角形ネジ１４の突起１４ａの部分がフランジ３の長孔３ａに嵌合することによりロックレバー５の締め付け時の回転を防止できる。
【００１８】
図５は、カメラ保持台の構造を示す図で、（ａ）は平面図，（ｂ）は正面図，（ｃ）は（ａ）の右側面図をそれぞれ示している。カメラシューと云われるものである。
カメラ保持台２０はワンタッチでカメラ本体を三脚に装着し、また取り外すことができる。
カメラ本体３１の底部に取り付けたカメラ保持台嵌合部２１はカメラ保持台２０の凹み形状の収容部２０ａに嵌合させられ固定される。
カメラ保持台２０は略長方形状であり、一辺が山形状になっている。その山形状の頂部付近に止めピン２３によって回転可能に結合レバー２２が止められている。結合レバー２２は矢印２６方向に付勢されている。結合レバー２２の隣合わせ位置に突起２５が設けられており、突起２５は上方向に付勢され、その頭部を抑えることにより収容部２０ａの底部と同じ位置まで後退するようになっている。
【００１９】
カメラが装着されていないときは結合レバー２２は実線で描いた位置になっており、突出した状態になっている突起２５によってその回転が制限されている。カメラ本体３１を装着するためにカメラ保持台嵌合部２１を収容部２０ａに押し込むと、カメラ保持台嵌合部２１の底部は突起２５の頭部を押し下げる。そのため結合レバー２２は矢印２６の方向に回転を開始し、２点鎖線で示した位置まで回転して突起２５の頭を抑えた状態となり、カメラ本体は固定される。カメラを外す場合は、結合レバー２２ａを付勢力に逆らって矢印２６とは反対方向に押して回転させることにより突起２５の頭部は解放されるため、カメラは押し上げられカメラ保持台２０から外すことができる。
【００２０】
図６は、本発明によるレンズホルダにカメラ本体を取り付ける方法を説明するための図で、雲台側にカメラ本体を取り付けた状態を示している。
雲台３０は矢印３５の撮影方向に向いて図示しない三脚がセットされているとする。
雲台３０の上面とカメラ保持台２０の底部の隙間がレンズホルダ１０のフレーム１の厚さ以上の寸法になるように雲台側のネジ３０ａを調整することにより雲台３０にカメラ保持台２０が仮止めされる。
レンズホルダ１０のフレーム１を十字孔２の開口孔部２ａから矢印３４の方向に雲台３０の上面とカメラ保持台２０の底部の隙間に差し込み、十字孔２と雲台側のネジ３０ａが適切な位置になるように位置付けして雲台側のネジ３０ａを締め付けることにより、レンズホルダ１０を三脚上の雲台に取り付けることができる。
【００２１】
カメラ本体３１はレンズホルダ１０を介して雲台３０に固定されるとともに円柱形サポート７によってレンズ３２の下部が支持され、カメラ振れを防止することができる。ロックレバー５を緩めアーム６の位置を前後に移動し傾斜角度を変更することにより、円柱形サポート位置を移動させてレンズ３２を支持するための最適な位置を選択することができる。
ロックレバー５のレバー５ａを図６の手前側に引っ張り上げることにより円筒本体５ｂを任意位置に回転させ、回転させた位置でレバー５ａを離すことによりレバー５ａの角度を邪魔にならない位置に変更できることは前述した通りである。
【００２２】
図７Ａは、本発明によるレンズホルダにレンズを取り付ける方法を説明するための図で、カメラを横方向にして雲台側に交換レンズを取り付けた状態を示している。
雲台３０は矢印３７の撮影方向に向けて三脚がセットされているとする。
レンズホルダ１０は矢印３６の方向に差し込まれ、雲台３０のネジ３０ａを締め付けることにより雲台３０の上面とカメラ保持台２０の間に取り付けられる。
レンズ支持アーム３３ａを備える交換レンズ３３は、レンズ支持アーム３３ａの下部にカメラ保持台嵌合部２１を取り付けカメラ保持台２０に装着でき、円柱形サポート７はカメラ本体３１の底部３１ａを支持することができる。
ロックレバー５のレバー５ａを緩めアーム６の位置を前後させ角度を変えることによりカメラ本体底部３１ａの最適な位置に円柱形サポート７を移動させることができる。
なお、図６に示すように右方向が撮影方向になるように雲台３０が三脚にセットされている場合に、雲台側にレンズを取り付けた形態にするときは、レンズホルダ１０は矢印３６とは反対方向から差し込み、雲台３０に取り付けることになる。レンズの装着は図７Ａの場合と同じである。
【００２３】
図７Ｂは、本発明によるレンズホルダにレンズを取り付ける方法を説明するための図で、カメラを縦方向にして雲台側に交換レンズを取り付けた状態を示している。
雲台３０は矢印３８の撮影方向に向けて三脚がセットされているとする。
レンズホルダ１０は矢印３９の方向に差し込まれ、雲台３０のネジ３０ａを締め付けることにより雲台３０の上面とカメラ保持台２０の間に取り付けられる。
レンズ支持アーム３３ａを雲台側に取り付け、カメラ本体３１を円柱形サポート７で支持するのは、図７Ａと同じであるが、図７Ａはカメラ本体３１を横置きにしているのに対し、図７Ｂは縦置きにした点で異なっている。したがって、カメラ本体３１のカメラ本体底部３１ａは手前側に見えた状態にセットされる。
【００２４】
レンズホルダ１０を雲台３０に取り付ける方法として、カメラ保持台２０を用いることなく、レンズホルダ１０を雲台３０に取り付け、雲台３０のネジをカメラ本体３１の底部のネジ孔またはレンズ支持アーム３３ａ下部のネジ孔に取り付ける形態にすることも可能である。
レンズホルダ１０は十字孔２の一つの長孔が開口構造であるので、雲台３０には横方向からスライドさせて雲台のネジに取り付けることができ、雲台に対し前後だけでなく左右のいずれの方向からも差し込むことが可能である。
【００２５】
フレーム１のホルダ部４に形成される十字孔２は図１に示すような形状の実施の形態を示したが、他の形状でも可能である。実施の形態では開口孔部２ａをフランジ３と平行の孔に設けているが、フランジ３に対し直角方向の孔に開口孔部を設けてもよい。また、十字形状ではなく、Ｔ形状や類似の形状に加工してもよい。さらに、ホルダ部４の張り出し４ａは図１に示す実施の形態を示したが、さらに強度を上げるため張り出し４ａの張り出し形状を大きくしてもよい。
円柱形サポートをプラスチック材とする実施の形態を示したが、カメラ本体の底部やレンズの鏡胴を受けるために適切な摩擦力を有し、かつ、カメラ底部などをキズつけない材質であれば、金属製やその他の材質であってもよい。
【産業上の利用可能性】
【００２６】
カメラ振れを防止するためのレンズホルダである。
【符号の説明】
【００２７】
１  フレーム
２  十字孔
３  フランジ
４  ホルダ部
５  ロックレバー
６  アーム
７  円柱形サポート
８  支持ピン
９，１５  止めネジ
１０  レンズホルダ
１１  コルク緩衝板
１２  抑えリング
１３  抑えリング
１４  角形ネジ
【図１】
2015215442.tif 000003
【図２】
2015215442.tif 000004
【図３】
2015215442.tif 000005
【図４】
2015215442.tif 000006
【図５】
2015215442.tif 000007
【図６】
2015215442.tif 000008
【図７Ａ】
2015215442.tif 000009
【図７Ｂ】
2015215442.tif 000010
【図８】
2015215442.tif 000011
【図９】
2015215442.tif 000012